(57)【要約】【課題】送風装置の大型化を抑えながら、生成されたイオンの飛散距離の向上を図ることができる美容装置を提供する。【解決手段】イオン発生装置２０の上流側から送風装置３０による送風を行い、その送風に乗せたイオンを送風通路３１ａ，３１ｂ，３１ｃを介して放出口４ａから外部に放出させる美容装置１において、イオン発生装置２０の下流側の送風通路３１ｃの通路面積が放出口に向けて小さくなる構成とされている。【選択図】図２
2011002210.tif 000002
【特許請求の範囲】
【請求項１】
イオンを生成するイオン発生装置と、生成されたイオンを放出するための送風を前記イオン発生装置の上流側から行う送風装置とを備え、その送風に乗せたイオンを送風通路を介して放出口から外部に放出させる美容装置であって、
前記イオン発生装置下流側の前記送風通路の通路面積が前記放出口に向けて小さくなるように形成されていることを特徴とする美容装置。
【請求項２】
請求項１に記載の美容装置において、
前記送風通路は、その少なくとも一部が前記イオン発生装置を挟むように両側に配置されていることを特徴とする美容装置。
【請求項３】
請求項２に記載の美容装置において、
前記イオン発生装置には給電用のリード線が備えられ、該リード線は前記送風通路内の送風方向から見て対称に配線されていることを特徴とする美容装置。
【請求項４】
請求項１〜３のいずれか１項に記載の美容装置において、
前記送風通路は、前記イオン発生装置及び前記送風装置のいずれかのケース部材に一体に形成されていることを特徴とする美容装置。
【請求項５】
請求項１〜４のいずれか１項に記載の美容装置において、
前記送風通路とは別に、前記送風装置から前記放出口に向けて直接的な送風を行う第２送風通路が備えられていることを特徴とする美容装置。
【請求項６】
請求項１〜５のいずれか１項に記載の美容装置において、
前記イオン発生装置、送風装置、送風通路及び放出口をイオン放出ユニットとして一体に構成し、前記イオン放出ユニットにおいて前記イオン発生装置及び送風装置を備えるとともに前記送風通路が一体に形成されるユニットケースと、前記放出口を有するノズル部材とが個別に形成されるものであって、
前記ユニットケースと前記ノズル部材との間にはシール部材が介在され、前記送風通路と前記放出口とが密閉状態で接続されていることを特徴とする美容装置。
【請求項７】
請求項６に記載の美容装置において、
前記ノズル部材に筒状に突設されたイオン放出ノズルは、前記放出口を有する内側面において前記イオンの放出方向に向けて拡開されていることを特徴とする美容装置。
【請求項８】
請求項１〜７のいずれか１項に記載の美容装置において、
前記送風通路には、イオン生成時に生じる副産物を吸着させる吸着材が備えられていることを特徴とする美容装置。
【請求項９】
請求項１〜８のいずれか１項に記載の美容装置において、
前記イオン発生装置は、放電電極にて放電を行う放電装置と、前記放電電極に液体を供給する液体供給手段とを備え、前記イオンとして帯電微粒子水を生成する静電霧化装置にて構成されていることを特徴とする美容装置。
【請求項１０】
請求項９に記載の美容装置において、
前記液体供給手段は、ペルチェ素子の冷却動作にて前記放電装置の放電電極に結露を生じさせ結露水として供給する冷却装置にて構成されていることを特徴とする美容装置。
【発明の詳細な説明】
【技術分野】
【０００１】
本発明は、イオン発生装置を備えた美容装置に関するものである。
【背景技術】
【０００２】
従来、イオン発生装置を備えた美容装置が知られており（例えば特許文献１参照、該文献１では加湿器）、この装置内部には送風装置が備えられ、生成されたイオンを送風に乗せてより遠くに飛散させるようにしている。
【先行技術文献】
【特許文献】
【０００３】
【特許文献１】特開２００５−０７６９７８号公報
【発明の概要】
【発明が解決しようとする課題】
【０００４】
ところで、生成されたイオンを送風に乗せてより遠くに飛散させるには、送風装置を大型化して送風能力を大きくすることが考えられるが、この対策では送風装置が大型化し、美容装置の大型化に繋がる。従って、限られた送風装置の送風能力の中で如何にしてイオンの飛散距離の向上を図るかが検討課題となっていた。
【０００５】
本発明は、上記課題を解決するためになされたものであって、その目的は、送風装置の大型化を抑えながら、生成されたイオンの飛散距離の向上を図ることができる美容装置を提供することにある。
【課題を解決するための手段】
【０００６】
上記課題を解決するために、請求項１に記載の発明は、イオンを生成するイオン発生装置と、生成されたイオンを放出するための送風を前記イオン発生装置の上流側から行う送風装置とを備え、その送風に乗せたイオンを送風通路を介して放出口から外部に放出させる美容装置であって、前記イオン発生装置下流側の前記送風通路の通路面積が前記放出口に向けて小さくなるように形成されていることをその要旨とする。
【０００７】
この発明では、イオン発生装置下流側の送風通路の通路面積が放出口に向けて小さくなるように形成されるので、送風装置にて生成された送風の流速が高められる。また、送風通路の通路面積が小さくなることで、送風及びイオンが集約して混ざってイオンが送風に乗り易くなるため、生成されたイオンの多くを送風に乗せることができる。つまり、生成されたイオンの多くが流速の高められた送風に乗って放出口からより遠くに放出可能となる。
【０００８】
請求項２に記載の発明では、請求項１に記載の美容装置において、前記送風通路は、その少なくとも一部が前記イオン発生装置を挟むように両側に配置されていることをその要旨とする。
【０００９】
この発明では、送風通路の少なくとも一部がイオン発生装置を挟むように両側に配置されるので、送風装置にて生成された送風はイオン発生装置の両側の送風通路に配分されて通過する。つまり、放出されたイオンがイオン発生装置の両側から包まれるように送風が通過するためその送風に乗り易く、また両側の送風を同等とすることで送風の乱れが小さく抑えられることから効率良いイオン放出を行うことができる。
【００１０】
請求項３に記載の発明では、請求項２に記載の美容装置において、前記イオン発生装置には給電用のリード線が備えられ、該リード線は前記送風通路内の送風方向から見て対称に配線されていることをその要旨とする。
【００１１】
この発明では、イオン発生装置に備えられた給電用のリード線は、送風通路内の送風方向から見て対称に配線されるので、イオン発生装置を挟むように両側に配置される送風通路を対称形状、即ち両側に分かれる送風を同等とする構成に寄与できる。
【００１２】
請求項４に記載の発明では、請求項１〜３のいずれか１項に記載の美容装置において、前記送風通路は、前記イオン発生装置及び前記送風装置のいずれかのケース部材に一体に形成されていることをその要旨とする。
【００１３】
この発明では、送風通路がイオン発生装置及び送風装置のいずれかのケース部材に一体に形成されるため、美容装置の部品数低減を図ることが可能となる。また、送風通路部分の構成が簡潔になるため、送風上の障害物が低減可能となる。つまり、生成された送風の流れがより円滑となり、効率良いイオン放出に寄与できる。
【００１４】
請求項５に記載の発明では、請求項１〜４のいずれか１項に記載の美容装置において、前記送風通路とは別に、前記送風装置から前記放出口に向けて直接的な送風を行う第２送風通路が備えられていることをその要旨とする。
【００１５】
この発明では、送風装置から放出口に向けて直接的な送風を行う第２送風通路が備えられるため、送風装置にて生成された送風の一部が直接イオン放出口に供給される。このため、イオン放出口付近にて新たな送風が加わって風速が増し、送風に乗せてより遠くにイオンを放出することができる。
【００１６】
請求項６に記載の発明では、請求項１〜５のいずれか１項に記載の美容装置において、前記イオン発生装置、送風装置、送風通路及び放出口をイオン放出ユニットとして一体に構成し、前記イオン放出ユニットにおいて前記イオン発生装置及び送風装置を備えるとともに前記送風通路が一体に形成されるユニットケースと、前記放出口を有するノズル部材とが個別に形成されるものであって、前記ユニットケースと前記ノズル部材との間にはシール部材が介在され、前記送風通路と前記放出口とが密閉状態で接続されていることをその要旨とする。
【００１７】
この発明では、イオン発生装置、送風装置、送風通路及び放出口がイオン放出ユニットとして一体に構成されるものであり、イオン発生装置、送風装置及び送風通路が一体に形成されるユニットケースと、放出口を有するノズル部材とが個別に形成される。このようなユニットケースとノズル部材との間にはシール部材が介在され、送風通路と放出口とが密閉状態で接続されるため、そこからの送風の漏れがなく、効率良くイオン放出を行うことができる。
【００１８】
請求項７に記載の発明では、請求項６に記載の美容装置において、前記ノズル部材に筒状に突設されたイオン放出ノズルは、前記放出口を有する内側面において前記イオンの放出方向に向けて拡開されていることをその要旨とする。
【００１９】
この発明では、ノズル部材に筒状に突設されたイオン放出ノズルは、放出口を有する内側面においてイオンの放出方向に向けて拡開されるため、生成されたイオンは拡開するその内側面に倣って広範囲に放出可能となる。
【００２０】
請求項８に記載の発明では、請求項１〜７のいずれか１項に記載の美容装置において、
前記送風通路には、イオン生成時に生じる副産物を吸着させる吸着材が備えられていることをその要旨とする。
【００２１】
この発明では、送風通路に吸着材を備えたことによって、イオン生成時に生じる副産物（オゾン等）を吸着可能としながら、生成されたイオンを放出可能となる。これにより、有害な副産物等の放出をより抑制でき、安全性や信頼性の向上に寄与できる。
【００２２】
請求項９に記載の発明では、請求項１〜８のいずれか１項に記載の美容装置において、前記イオン発生装置は、放電電極にて放電を行う放電装置と、前記放電電極に液体を供給する液体供給手段とを備え、前記イオンとして帯電微粒子水を生成する静電霧化装置にて構成されていることをその要旨とする。
【００２３】
この発明では、イオン発生装置は静電霧化装置にて構成され、液体供給手段から液体が供給された放電装置の放電電極が放電することで、イオンとして帯電微粒子水が生成される。つまり、高い美容作用や健康作用が得られるとされる帯電微粒子水が使用者に向けて効率良く放出されるようになる。
【００２４】
請求項１０に記載の発明では、請求項９に記載の美容装置において、前記液体供給手段は、ペルチェ素子の冷却動作にて前記放電装置の放電電極に結露を生じさせ結露水として供給する冷却装置にて構成されていることをその要旨とする。
【００２５】
この発明では、ペルチェ素子によって放電電極が冷却され、放電電極に空気中の水分から結露を生じさせその結露水が静電霧化に用いられる。これにより、静電霧化のための液体をタンク等の貯留手段を用いることなく対応できるため、美容装置の小型軽量化や、液体をその都度供給する手間を省略できる。
【発明の効果】
【００２６】
本発明によれば、送風装置の大型化を抑えながら、生成されたイオンの飛散距離の向上を図ることができる美容装置を提供することができる。
【図面の簡単な説明】
【００２７】
【図１】本実施形態における美容装置の斜視図である。
【図２】美容装置の垂直断面図である。
【図３】美容装置の水平断面図である。
【図４】イオン放出ユニットの垂直断面図である。
【図５】イオン放出ユニットの水平断面図である。
【図６】イオン放出ユニットのリード線の配線図である。
【図７】イオン放出ユニットとノズルカバーとの間のシール構造を構成する態様の模式図である。
【図８】送風通路に吸着材を配置する態様の模式図である。
【図９】送風装置から放出口に向けて送風通路を配置する態様の模式図である。
【発明を実施するための形態】
【００２８】
以下、本発明を具体化した一実施形態を図面に従って説明する。
図１〜図３に示すように、本実施形態の美容装置１は、円錐台状に形成された脚部２と、該脚部２の上面に固定され全体が略球状に形成されたハウジング３とを備えている。ハウジング３の内部には、美容装置１を構成する各種構成部品が収容されている。
【００２９】
ハウジング３の前面中央部には、上下方向に長い長円形状の開口部３ａが設けられ、ハウジング３内に設けられるイオン放出ユニット１０の略円筒状のイオン放出ノズル４がその開口部３ａから外部に突出している。イオン放出ノズル４の内側には、イオンを放出するイオン放出口４ａが設けられている。イオン放出ノズル４は、例えばこのノズル４を使用者が把持して操作することで開口部３ａに沿って上下方向に移動可能（イオン放出ユニット１０が上下方向に傾動可能）に構成され、該イオン放出ノズル４から放出されるイオンの放出方向が調整可能とされている。
【００３０】
使用者がイオン放出ノズル４と対向するように美容装置１を見た場合のハウジング３の頂上部の右方向には、使用者が美容装置１のオンオフ等の動作をさせる際に操作する操作ボタン５が備えられている。ハウジング３の頂上部の左方向にはＬＥＤ表示部６が備えられ、美容装置１のオンオフ等の作動状態をＬＥＤの点灯状態によって示して使用者が確認できるようにされている。また、ハウジング３の頂上部後方には、使用者が美容装置１を持ち運びするための収納可能なハンドル７が取り付けられている。
【００３１】
図２及び図３に示すように、ハウジング３の内部には、イオン放出ユニット１０の後端側部分を収容して支持する有底略四角筒状の支持部材１１が該ハウジング３の内側面の所定部位に対して固定されている。支持部材１１に備えられる左右一対の側壁１２ａ，１２ｂには、それぞれ軸受凹部１３ａ，１３ｂが設けられており、イオン放出ユニット１０のユニットケース１０ａの左右両側から突出形成された軸受凸部１１ａ，１１ｂが嵌合されて、イオンの放出方向を変更すべくイオン放出ユニット１０が上下方向に傾動可能に支持されている。このイオン放出ユニット１０の上下方向に傾動は、球状をなすハウジング３の中心を通る水平線がその傾動軸となるように軸受凹部１３ａ，１３ｂの位置が設定され、またハウジング３内の所定部位１４ａ，１４ｂ（図２参照）により規制にてその傾動範囲が決められている。なお、支持部材１１の軸受凹部１３ａ，１３ｂの周囲には金属バネ１５ａ，１５ｂが装着されており、イオン放出ユニット１０はその金属バネ１５ａ，１５ｂの左右両側面への押圧による摩擦力の増大により、上下方向の傾動角度が任意の角度で保持されるようになっている。
【００３２】
イオン放出ユニット１０は、ハウジング３の中央部から開口部３ａに向かって延びるように配置され、生成したイオンを送風に乗せて外部に放出するようにイオン発生装置２０及び送風装置３０を備えて構成されている。詳しくは、図２〜図５に示すように、イオン放出ユニット１０は略四角筒状のユニットケース１０ａを有し、該ケース１０ａの後端部に軸流ファンよりなる送風装置３０が配置されている。送風装置３０は、ファンを回転させて送風を生じさせている。ここで、前記脚部２の中央部には、ハウジング３の内部空間と繋がる複数の空気取入口３１が形成されており、送風装置３０はその空気取入口３１を介して脚部２の下面側から外気を取り込むことで送風を生じさせている。この送風装置３０の下流にはイオン発生装置２０が設けられている。因みに、送風装置３０の軸線上に、イオン発生装置２０の冷却装置２１と、その放電装置２２（放電電極２３）と、イオン放出ノズル４とのそれぞれが並んで配置されている。
【００３３】
イオン発生装置２０は、静電霧化装置よりなり、放電装置２２と冷却装置２１とを備えてなる。放電装置２２には、イオン放出ノズル４の放出口４ａの中心部に向けて突出する針状の放電電極２３と、該放電電極２３の先端側に配置されその放電電極２３の延長上に貫通孔２４ａが設けられた対向電極２４とを用いて構成されている。放電電極２３の基端部（送風装置３０側）には、冷却装置２１が並設され、該冷却装置２１を構成するペルチェ素子２５の冷却面が放電電極２３に接触するように配置されている。ペルチェ素子２５の冷却面の反対側の放熱面には放熱フィン２６が取り付けられ、放熱フィン２６には送風装置３０にて生成される送風の一部が冷却風として供給されるようになっている。
【００３４】
このようなイオン発生装置２０は、放電電極２３と対向電極２４と間に高電圧が印加されて放電電極２３周りにコロナ放電を生じさせ、またペルチェ素子２５の駆動により放電電極２３を冷却して該放電電極２３の表面に結露を生じさせることで、結露水の静電霧化にてイオン化したナノサイズの微粒子水（帯電微粒子水）を生成している。なお、この帯電微粒子水は、使用者の肌の角質層表面の隙間に浸透可能であり、使用者の肌に潤いとハリを与えて高い美容作用や健康作用が得られるものである。
【００３５】
また、このイオン発生装置２０では、放電電極２３に結露を生じさせて該放電電極２３に水分を供給するペルチェ素子２５が用いられることから、タンク等による水の貯留が必要なく、美容装置１の小型軽量化や、注水の手間の必要がない構成となっている。
【００３６】
また、送風装置３０がイオン発生装置２０の上流側に配置されていることで、イオン発生装置２０にて生成された帯電微粒子水が送風装置３０に進行を妨害されることなく、放出可能とされている。
【００３７】
ユニットケース１０ａ内には、送風装置３０とイオン発生装置２０とを繋ぐ送風通路３１ａと、イオン発生装置２０の周囲に設けられる送風通路３１ｂと、イオン発生装置２０からイオン放出ノズル４とを繋ぐ送風通路３１ｃとが連続して設けられている。送風装置３０とイオン発生装置２０との間の送風通路３１ａは、送風装置３０からイオン発生装置２０に向けて次第に絞り込まれて通路面積が次第に小さくされており、送風装置３０にて生成した送風の流速が高められている。また、イオン発生装置２０とイオン放出ノズル４との間の送風通路３１ｃにおいても、イオン発生装置２０からイオン放出ノズル４に向けて次第に絞り込まれて通路面積が次第に小さくされて送風の流速が高められており、またこの絞り込み部分にて送風とイオン発生装置２０にて生成した帯電微粒子水とが集約するため、帯電微粒子水が送風に混ざり送風にその多くを乗せることが可能になっている。これらにより、より多くの帯電微粒子水がイオン放出ノズル４からより遠くに放出されるようになっている。
【００３８】
ここで、図６に示すように、イオン発生装置２０を囲う外郭ケーシング３２には、前記送風通路３１ｂが一体に形成されている。これにより、イオン放出ユニット１０の部品数が少なくて済み、該ユニット１０の組み立てが容易となる。また、イオン放出ユニット１０の構成が簡潔となるため、送風上の障害物が低減されて送風の流れが円滑となり、効率良いイオン放出に寄与できる。
【００３９】
また、送風通路３１ｂは、イオン発生装置２０を挟むように上下左右の両側に複数個が互いに仕切られて設けられ（換言すれば、この仕切壁にてイオン発生装置２０が支持されている）、該通路３１ｂ内の送風方向から見て左右が略線対称となるように構成されている。これにより、送風装置３０にて生成された送風が送風通路３１ｂにおいて左右に対称に配分されて送風の風量及び風速が左右で同等となるため、イオンが放出される下流側の送風通路３１ｃにおいて送風の乱れがより小さくなる。このため、放出されたイオンが上下左右の両側から包まれるように送風が通過するためその送風に乗り易く、また送風の乱れが小さく抑えられることから効率良いイオン放出が行われる。
【００４０】
また、イオン発生装置２０の周囲からは、そのイオン発生装置２０等に給電を行うための各種の給電用のリード線３５，３６が延びており、放電電極２３の先端側から見てイオン発生装置２０の左側からは一方のリード線３５が上方に延び、イオン発生装置２０の右側からは他方のリード線３６が上方に延びている。各リード線３５，３６は、イオン発生装置２０の中心（放電電極２３）に対して略対称となるように配線され、上記した送風通路３１ｂの左右両側の対称形状に寄与している。
【００４１】
送風装置３０にて生成され送風通路３１ａを通過する送風の一部は、イオン発生装置２０を囲う外郭ケーシング３２の送風装置３０側に設けられた副流路３３（図５参照）に流入し、適当量の送風がイオン発生装置２０の放電電極２３に供給されるようになっている。副流路３３を経た送風の一部は、放電電極２３の先端に付着する結露を吹き散らさずに、該放電電極２３の放電にて生成される帯電微粒子水を送風に乗せ易いようになっており、これによっても帯電微粒子水をより多く放出することに寄与している。
【００４２】
図２及び図３に示すように、ユニットケース１０ａの先端部には、前記イオン放出ノズル４が形成されたノズルカバー４ｂが一体に設けられている。ノズルカバー４ｂは、イオン放出ユニット１０がいずれの傾動角度となってもハウジング３の開口部３ａを閉塞する大きさに形成されており、またハウジング３の内側面に倣った所定の球面形状をなすことで該ハウジング３の内側面における開口部３ａの周縁部分に常に当接するようになっている。前述のように、イオン放出ユニット１０の傾動は、球状をなすハウジング３の中心を通る水平線がその傾動軸となっているため、ノズルカバー４ｂはハウジング３の内側面に常に密接して可動させることができるようになっており、ハウジング３に設けた開口部３ａを常に閉塞状態としている。ノズルカバー４ｂに設けられるイオン放出ノズル４は、その放出方向に向けて内側面（イオン放出口４ａ）が拡開されており、放出される帯電微粒子水を広範囲に広げるようになっている。
【００４３】
美容装置１の動作を制御する制御回路４０は、イオン放出ユニット１０を支持する支持部材１１の底面の裏面側に取り付けられている。本体脚部２の後面にはプラグピン４１（図２参照）が備えられ、図示しない電源アダプタが差し込めるようになっている。この電源アダプタを通じてプラグピン４１からリード線４２を介して制御回路４０に電源供給が行われる。
【００４４】
そして、使用者が操作ボタン５を押すと、美容装置１のオンオフ等の操作信号が該操作ボタン５からリード線４３を介して制御回路４０に出力され、該制御回路４０は操作信号に基づいてイオン発生装置２０及び送風装置３０を制御する。すなわち、操作信号がオンの状態になると、イオン発生装置２０においては放電電極２３に放電用の高電圧が印加されるとともに、ペルチェ素子２５には冷却動作用の駆動電圧が印加され、また送風装置３０にはファン動作用の駆動電圧が印加されるようになっている。またこのとき、制御回路４０とリード線４４を介して接続された表示回路４５は、ＬＥＤ表示部６の点灯制御を行っており、操作ボタン５のオン操作時にはＬＥＤ表示部６を点灯、オフ操作時にはＬＥＤ表示部６の消灯を行い、使用者に動作状態の報知を行っている。
【００４５】
次に、本実施形態の特徴的な作用効果を記載する。
（１）本実施形態では、イオン発生装置２０の下流側の送風通路３１ｃの通路面積が放出口４ａに向けて小さくなるように形成されているので、送風装置３０にて生成された送風の流速が高められる。また、送風通路３１ｃの通路面積が小さくなることで、送風及びイオンが集約して混ざってイオンが送風に乗り易くなるため、生成されたイオンの多くを送風に乗せることができる。つまり、生成されたイオンの多くが流速の高められた送風に乗って放出口４ａからより遠くに放出可能となり、送風装置３０の大型化を抑えながら、生成されたイオンの飛散距離の向上を図ることができる。
【００４６】
（２）本実施形態では、送風通路３１ｂがイオン発生装置２０を挟むように上下左右の両側に複数個が互いに仕切られて設けられ、該送風通路３１ｂ内の送風方向から見て左右が略線対称となるように構成されている。これにより、放出されたイオンがイオン発生装置２０の両側から包まれるように送風が通過するためその送風に乗り易く、送風装置３０にて生成された送風が送風通路３１ｂにおいて左右に対称に配分されて送風の風量及び風速が左右で同等となり送風の乱れがより小さく抑えられることから効率良いイオン放出を行うことができる。
【００４７】
（３）本実施形態では、イオン発生装置２０に備えられた給電用のリード線３５，３６は、送風通路３１ｂ内の送風方向から見て対称に配線されているので、イオン発生装置２０を挟むように両側に配置される送風通路３１ｂを対称形状、即ち両側に分かれる送風を同等とする構成に寄与できる。
【００４８】
（４）本実施形態では、送風通路３１ａ，３１ｂ，３１ｃがイオン発生装置２０の外郭ケーシング３２やユニットケース１０ａに一体に形成されているため、美容装置１の部品数低減を図ることができる。また、送風通路３１ａ，３１ｂ，３１ｃ部分の構成が簡潔になるため、送風上の障害物が低減できる。つまり、生成された送風の流れがより円滑となり、効率良いイオン放出に寄与できる。
【００４９】
（５）本実施形態では、筒状に突設されたイオン放出ノズル４は、放出口４ａを有する内側面においてイオンの放出方向に向けて拡開されているため、生成されたイオンを拡開するその内側面に倣って広範囲に放出することができる。
【００５０】
（６）本実施形態では、イオン発生装置２０は静電霧化装置にて構成され、冷却装置２１（液体供給手段）にて生成された結露水が供給された放電装置２２の放電電極２３が放電することで、イオンとして帯電微粒子水が生成される。つまり、高い美容作用や健康作用が得られるとされる帯電微粒子水が使用者に向けて効率良く放出されるようになる。
【００５１】
（７）本実施形態では、ペルチェ素子２５によって放電電極２３が冷却され、放電電極２３に空気中の水分から結露を生じさせその結露水が静電霧化に用いられる。これにより、静電霧化のための液体をタンク等の貯留手段を用いることなく対応できるため、美容装置１の小型軽量化や、液体をその都度供給する手間を省略できる。
【００５２】
尚、本発明の実施形態は、以下のように変更してもよい。
・上記実施形態において、ユニットケース１０ａとノズルカバー４ｂとの取付態様について特に言及しなかったが、図７に示すように、ユニットケース１０ａとノズルカバー４ｂとの間にＯリング等よりなるシール部材５０を介在し、送風通路３１ｃと放出口４ａとを密閉状態で接続してもよい。この場合、ユニットケース１０ａの先端面の環状溝１０ｂ内にシール部材５０を嵌め込み、ユニットケース１０ａの先端面へのノズルカバー４ｂの装着に伴ってシール部材５０が潰れてシール構造が構成される。これにより、ユニットケース１０ａとノズルカバー４ｂとの間に隙間等が生じないため、そこからの送風の漏れがなくなり、効率良くイオン放出を行うことができる。尚、シール部材５０は、Ｏリング以外のウレタンゴム等の他の弾性体を用いてもよい。
【００５３】
・上記実施形態における送風通路３１ｃにおいて、図８に示すように、イオン発生装置２０とイオン放出口４ａとの間に活性炭フィルター等の吸着材５１を配置してもよい。吸着材５１は取り替え可能となっており、ハウジング３上部の差し込み口３ｂから、送風通路３１ｃ内に配置できるようになっている。吸着材５１を構成する活性炭フィルターは、ハニカム状の多孔質よりなるため、イオン生成時に生成されるオゾン等の副産物を吸着する一方で、生成されたイオンは活性炭フィルターを通過し、イオン放出への影響が抑制されている。このため、有害な副産物等の放出を抑制でき、安全性や信頼性の向上に寄与できる。
【００５４】
・上記実施形態におけるイオン放出ユニット１０において、図９に示すように送風通路３１ａ，３１ｂ，３１ｃとは別に、送風装置３０からイオン放出口４ａに向けて直接的な送風を行う送風通路３１ｄを設けてもよい。この送風通路３１ｄによって、送風装置３０にて生成された送風の一部が直接イオン放出口４ａに供給される。このため、イオン放出口４ａ付近にて新たな送風が加わって風速が増し、送風に乗せてより遠くにイオンを放出することができる。
【００５５】
・上記実施形態では、送風通路３１ｂをイオン発生装置２０を囲う外郭ケーシング３２に一体形成したが、イオン発生装置２０の周囲にある送風装置３０のケース部材や、イオン放出ユニット１０のユニットケース１０ａ等に一体に形成してもよい。
【００５６】
・上記実施形態では、送風通路３１ｂを左右が略線対称に形成したが、上下が対称に形成してもよく、また上下と左右とがともに対称に形成してもよい。
・上記実施形態では、送風装置３０に軸流ファンを用いたが、シロッコファン等、他の送風装置を用いてもよい。
【００５７】
・上記実施形態では、ペルチェ素子２５を用いた冷却装置２１にて放電電極２３に結露水を供給するようにしたが、タンク等を用いて液体供給を行ってもよい。また、水以外の液体を用いてもよい。
【００５８】
・上記実施形態では、イオン放出ユニット１０を傾動可能に支持したが、例えばスライド可能等、その他の可動可能な構成に変更してもよい。
・上記実施形態における脚部２において特に言及しなかったが、図２に示すように、脚部２の底部にゴム等の柔軟材による滑り止め５２を設置してもよい。これにより、容易に美容装置１が移動せず、安全に使用可能となる。
【符号の説明】
【００５９】
１…美容装置、４…イオン放出ノズル、４ａ…放出口、４ｂ…ノズルカバー（ノズル部材）、１０…イオン放出ユニット、１０ａ…ユニットケース、２０…イオン発生装置（静電霧化装置）、２１…冷却装置（液体供給手段）、２２…放電装置、２３…放電電極、２５…ペルチェ素子、３０…送風装置、３１ａ，３１ｂ，３１ｃ…送風通路、３１ｄ…送風通路（第２送風通路）、３２…外郭ケーシング（ケース部材）、３５，３６…リード線、５０…シール部材、５１…吸着材。
【図１】
2011002210.tif 000003
【図２】
2011002210.tif 000004
【図３】
2011002210.tif 000005
【図４】
2011002210.tif 000006
【図５】
2011002210.tif 000007
【図６】
2011002210.tif 000008
【図７】
2011002210.tif 000009
【図８】
2011002210.tif 000010
【図９】
2011002210.tif 000011